(57)【要約】【目的】本発明は、選挙人の本籍投票所の選挙情報をトークンに書き込み、その情報により選挙人の本籍投票所の投票ソフトウェアを投票端末で動作させることにより、投票所を特定せずに任意の投票所にて本籍投票所の投票が行なえることを特徴とする。【構成】選挙区外を含む選挙人の受付処理を行なう受付端末１１と、受付処理を行なった正当な選挙人に投票用のトークン１４を発行するトークン発行端末１２と、トークン１４の記録情報から、選挙人の本籍投票所、投票の可否、投票可能な選挙種別等を判断して、正当性が確認された際に、選挙区を問わず各選挙人に投票を行なわせる投票端末１３とを具備してなることを特徴とする。【選択図】　　図１
2004005597.tif 000002
【特許請求の範囲】
【請求項１】
投票を行う選挙人の選挙人情報と選挙人名簿との照合により投票可否を含む適格性判断を行う手段と、この適格性判断に基づき前記選挙人に対する投票の受付処理を行う手段と、受付処理した当該選挙人に対する選挙情報を外部に送信する手段とを有する受付端末と、
この受付端末から受付処理した前記選挙人に対する選挙情報を受信する手段と、受付端末から受信した当該選挙人の投票選挙区を含む所定の選挙情報を記録した投票用のトークンを発行する手段を有するトークン発行端末と、
前記選挙人により呈示された前記トークン発行端末で発行されたトークンに記録された選挙情報から少なくとも投票選挙区を読み取る手段と、当該投票選挙区の情報を外部に送信する手段と、外部より前記投票選挙区に固有の候補者情報を受信し、受信した情報に基づき投票処理を行う手段を有する投票端末と、
前記各端末のうち、少なくとも前記投票端末とネットワーク接続され、前記各端末との間で前記選挙情報を授受するホスト装置とを備え、
前記投票端末は、前記投票選挙区に固有の少なくとも候補者情報を前記ホスト装置から受信し、選挙人が任意の投票所で選挙手続きを行うようにしたことを特徴とする電子投票システム。
【請求項２】
前記投票端末は、前記トークンより読み取った前記投票選挙区の情報を前記ホスト装置に送信し、前記ホスト装置より該当選挙区の投票アプリケーションソフトウェアを受信する手段を有し、
前記選挙人が任意の投票所で選挙手続きを行うようにしたことを特徴とする請求項１記載の電子投票システム。
【請求項３】
前記ホスト装置に複数投票選挙区の前記選挙人名簿を設け、
前記受付端末は、投票を行なう選挙人の本人確認のための情報から当該選挙人の投票選挙区内投票所を示すＩＤ情報を取得する手段と、
このＩＤ情報を含む選挙人情報を前記ホスト装置に送信する手段と、
前記ホスト装置から前記選挙人名簿との照合に基づく選挙人の選挙区情報及び当該選挙区に於ける投票可否の情報を受信する手段とを有し、
前記ホスト装置から受信した情報に基づき、受付処理することを特徴とする請求項１または２に記載の電子投票システム。
【請求項４】
前記投票所が管理する自投票選挙区に対する選挙人名簿を当該選挙区を管理する投票所に設け、その他の投票選挙区に対する選挙人名簿を前記ホスト装置に設け、
前記受付端末は、投票を行なう選挙人の本人確認のための情報から当該選挙人の投票選挙区内投票所を示すＩＤ情報を取得する手段と、
このＩＤ情報が当該受付端末が備えられた投票所が管理する投票選挙区外の場合、前記ＩＤ情報を含む前記選挙人情報を前記ホスト装置に送信する手段とを備え、
前記ＩＤ情報に基づき、前記ホスト装置または当該受付端末に備えられた選挙人名簿との照合に基づく選挙人の当該選挙区に於ける投票可否を含む適格性判断を行い、受付処理することを特徴とする請求項１または２に記載の電子投票システム。
【請求項５】
前記ホスト装置に、複数選挙区の選挙人名簿及び候補者名簿を設け、
前記ホスト装置が前記各受付端末または投票端末からの要求に従い、要求された選挙区の選挙人名簿及び候補者名簿を要求元の各端末に提供する請求項１または２に記載の電子投票システム。
【請求項６】
前記ホスト装置に、複数選挙区の候補者名簿を設け、
前記ホスト装置が前記投票端末からの要求に従い、要求された選挙区の候補者名簿を要求元の投票端末に提供する請求項１に記載の電子投票システム。
【発明の詳細な説明】
【０００１】
【産業上の利用分野】
本発明は、議員選挙等、各種の選挙に於ける選挙人の受付、投票あるいは開票などの処理を、情報処理機器を用いて電子化処理する電子投票システムに係り、特に、選挙人の選挙区内投票所（本籍投票所）以外の任意の投票所に於いても投票が可能な、投票所が特定されない電子投票システムに関する。
【０００２】
【従来の技術】
従来、国会議員、都道府県の知事、同議員、市町村、および同議員の選挙では、公職選挙法に基づき、選挙人は地方自治体から郵送される投票時入場券となるハガキを本籍投票所に持参する。そして、投票所の受付において、係員により、住所氏名をもとに選挙人名簿台帳からその選挙人が選挙権を持っているか、未投票の選挙があるか等の確認を行なっている。この受付けで正当な投票権をもつ選挙人であると判断したとき、当該選挙人に対して投票用紙を配布する。この投票用紙を受け取った選挙人は、投票場所で例えば立候補者の氏名を投票用紙に筆記し、投票用紙を投票箱に投函している。その後、投票箱は体育館等の施設に集められ、人海戦術により開票作業が行われ、投票結果が集計される。
【０００３】
このように、従来の選挙投票では、投票行為や、集計作業等に於いてＯＡ化が殆ど進んでおらず、選挙の実施にあたっては多くの労力と時間を要し、又、集計に多くの時間が費やされるとともに、多額の費用を必要としていた。
又、台帳に於いて選挙人の受付処理を行なうため、本籍投票所以外の投票所（即ち選挙人の自選挙区以外の投票所）では本人確認ができず、従って自選挙区外の投票所で投票を行なうことができず、選挙人にかかる負担が大きく、投票率の向上を図る上で問題があった。
【０００４】
【発明が解決しようとする課題】
上述したように、従来の選挙投票では、選挙の実施にあたって、多くの労力と時間を要し、又、集計に多くの時間が費やされるとともに、多額の費用を必要としていた。更に、台帳に於いて選挙人の受付処理を行なうため、本籍投票所以外の投票所（即ち選挙人の自選挙区以外の投票所）では本人確認ができず、従って自選挙区外の投票所で投票を行なうことができず、選挙人にかかる負担が大きく、投票率の向上を図る上で問題があった。
【０００５】
本発明は上記実情に鑑みなされたもので、選挙にかかる経済的な負担を大幅に軽減でき、信頼性の高い選挙を円滑に実施できるとともに、全ての選挙人が自選挙区外の任意の投票所に於いても選挙投票を行なうことができる電子投票システムを提供することを目的とする。
【０００６】
【課題を解決するための手段及び作用】
本発明は、選挙人の選挙権有無判断機能をもつ受付端末と、選挙人が投票行為を行なうために操作する投票端末と、選挙人が前記投票端末で投票行為を行なう権利を有することを証明するため選挙人に配布するトークンと呼ばれる記録媒体上に必要な情報を書き込むためのトークン発行端末と、少なくとも前記投票端末をネットワークでつないだ中央のホストコンピュータ（ホスト装置）とを構成要素として持つことにより、選挙人の投票所を特定せず、選挙区外の任意の投票所にて投票することができるようにしたことを特徴とする。
【０００７】
又、前記受付端末は、投票所に訪れた選挙人の情報（個人ＩＤカードや投票所入場券ハガキ等）によって決められた投票所（本籍投票所）のＩＤを取り込む手段と、前記本籍投票所ＩＤ及び選挙人情報を前記ホスト装置に送信する手段と、前記ホスト装置からその選挙人の選挙権のある選挙区の情報及びその選挙区で投票可能か否かの情報を受ける情報取り込み手段とを設けることにより、選挙区外の他の投票所でも選挙投票の受付を可能にする。
【０００８】
又、前記投票端末は、前記トークンより読み取った前記投票選挙区の情報を前記ホスト装置に送信し、前記ホスト装置より該当選挙区の投票アプリケーションソフトウェアを受信する手段を設けることにより、選挙区外の他の投票所でも選挙投票の受付を可能にする。
【０００９】
【実施例】
以下図面を参照して本発明の一実施例を説明する。尚、ここでは、各選挙区の投票用ソフトウェア（候補者情報等をもつアプリケーションソフトウェア）を中央のホストコンピュータ（ホスト装置）で集中管理し、各投票所端末からの要求に応じて、その都度、中央のホストコンピュータより提供する方式ではなく、各各選挙区の投票所端末がそれぞれ該当選挙区の投票用ソフトウェアを持ち、投票用ソフトウェアを分散配置して、選挙区を異にする投票所端末相互の間で、中央のホストコンピュータを介在して、投票用ソフトウェア及び受付処理情報等を授受する方式を例にとる。
【００１０】
図１及び図２はそれぞれ本発明の一実施例に於ける電子投票システムの構成を示すブロック図であり、このうち、図１は本発明の一実施例に於ける電子投票システム全体の構成を示すブロック図、図２は投票所に於ける各端末の配置と選挙人の流れを示す図である。
本発明の実施例に於ける電子投票システムは、各投票所（Ａ，Ｂ，…）に設けられた、受付端末１１、トークン発行端末１２、投票端末１３，１３，…等の各端末でなる投票所端末と、これら各端末が所定の回線を介してオンライン接続される中央のホストコンピュータ（以下ホスト装置と称す）１５とを主要構成要素として構成される。
【００１１】
図１に於いて、１１は投票所の受付に設けられた受付端末であり、集線部（Ｔ）、及び回線（Ｌ）を介し、中央のホストコンピュータ（以下ホスト装置と称す）１５にオンライン接続されて、選挙人の情報を入力し、自投票所が管理する選挙人名簿ファイルＦＡの検索、又はホスト装置１５との交信により、選挙人の選挙権有無、投票可否等の適格性判断を含む受付処理を行なう。
１２は受付端末１１の制御の下に、受付処理を行なった選挙人に投票用のトークン１４を発行するトークン発行端末であり、投票所を特定せずに選挙人の投票を可能にするための選挙情報として、選挙人の選挙権及び投票権有無、及び選挙人の投票選挙区（本籍投票所を示す投票所ＩＤ）等の投票用選挙人情報を所定のトークン用記録媒体に書き込み、この投票用選挙人情報を記録したトークン用記録媒体を投票用紙に代わるトークン１４として選挙人に発行する。
【００１２】
１３は上記トークン発行端末１２により発行されたトークン１４を受入れて、そのトークン１４の記録内容に従う投票操作を選挙人に行なわせる投票端末であり、ホスト装置１５にオンライン接続されて、呈示された（トークン挿入口に挿入された）トークン１４の記録情報（投票用選挙人情報）から、選挙人の選挙区内投票所（本籍投票所）、投票の可否、投票可能な選挙種別等を判断し、正当性が確認された際に、当該選挙人に投票を行なわせる。
【００１３】
この際、選挙人が本籍投票所を訪れた際は、当該本籍投票所の投票端末１３が自投票所に備えている選挙情報ファイルＦＢ内の投票用ソフトウェア（候補者情報等をもつアプリケーションソフトウェア）処理を実行して、選挙人に投票を行なわせる。又、選挙人が本籍投票所でない投票所を訪れた際は、ホスト装置１５を介在して、該当選挙区（選挙人の本籍投票所）の投票所端末より、その選挙に対応する投票用ソフトウェア（候補者情報等をもつアプリケーションソフトウェア）を取り込み、当該ソフトウェア処理を実行して、選挙人に投票を行なわせる。
【００１４】
１４はトークン発行端末１２より発行されたトークンであり、受付け完了した選挙人に対して投票用紙に代わり発行される（手渡される）。このトークン１４には、トークン発行端末１２にて選挙人の選挙権及び投票権の有無、種別、及び選挙人の投票選挙区（本籍投票所）を示す投票所ＩＤ等の情報をもつ投票用選挙人情報が記録される。即ち、投票所を訪れた選挙人は、受付を済ませた際、投票用紙の代わりにトークンと呼ばれる磁気カードなどの記録媒体を受け取る。
【００１５】
このトークンは、それを持つ選挙人が未だ投票を済ませていない正規の選挙人であるということを示す証明書のような役割をする。また、このトークン内に書き込まれたデータには、その選挙人が何処の投票所を本籍とするかを示す情報（投票所ＩＤ）が記録される。選挙人がこの投票用トークン１４を呈示すると、即ち投票端末１３のトークン挿入口に挿入すると、投票端末１３はトークン内のデータを読み込み、正規の未使用トークンであったなら、選挙人に投票のための操作を一度だけ許す。この際、選挙人が他の投票所を本籍投票所とするとき、投票端末１３はトークン内の情報により選挙人の本籍投票所の投票ソフトウェアをホスト装置１５より受け、その投票ソフトウェアを起動させて選挙人に投票操作を行なわせる。
【００１６】
１５は各投票所の端末（受付端末１１及び投票端末１３）に回線（Ｌ）及び集線部（Ｔ）を介してオンライン接続された、システム制御の中枢をなすホスト装置（中央のホストコンピュータ）であり、各投票所の受付端末１１より受けた選挙人情報から本籍投票所（選挙人の選挙区内投票所）を判断し、当該本籍投票所へ選挙人の受付処理を通知するとともに、当該選挙人が投票を行なう投票所の受付端末１１に本籍投票所の投票用ソフトウェア（候補者情報等をもつアプリケーションソフトウェア）を転送制御する等、投票所間に於ける各種情報の受渡処理を実行する。
【００１７】
上記構成のシステムに於ける全体の処理の流れを図２を参照して説明する。
投票所Ａを訪れた選挙人ａが、投票所Ａを本籍投票所（選挙人の選挙区内投票所）としない場合であるとき、即ち選挙人ａが本籍投票所外の他選挙区の投票所で投票を行なうとき、受付端末１１は、その選挙人ａの情報（例えば個人識別カード等により得た、本籍投票所のＩＤ情報を含む選挙人の情報）を問合わせ情報としてホスト装置１５へ送信する。
【００１８】
ホスト装置１５は、その選挙人ａの情報から当該選挙人ａの本籍投票所（例えば投票所Ｂ）を判断し、当該本籍投票所Ｂの受付端末１１へ選挙人ａの投票受付処理内容を問い合わせる。
投票所Ｂの受付端末１１は、ホスト装置１５からの選挙人ａの問い合わせに対して選挙人名簿ファイルＦＡを索引し、選挙人ａの選挙情報を検索して、当該選挙人ａの投票受付処理内容をホスト装置１５を介し投票所Ａ内の受付端末１１へ返送する。
【００１９】
投票所Ａの受付端末１１は、投票所Ｂからの受付処理内容を認識し、投票可能な選挙が存在するとき（今回の選挙で未投票の選挙種があるとき）、その選挙に対する受付完了通知をホスト装置１５を介して投票所Ｂの受付端末１１へ送信する。
投票所Ｂの受付端末１１は、ホスト装置１５を介して、選挙人ａの受付完了通知を受けると、その内容を認識して、自選挙区内の選挙人名簿ファイルＦＡに登録されている選挙人ａの選挙内容（受付処理した選挙の投票状態情報）を受付完了状態に更新し、登録完了（トークン発行指示）をホスト装置１５を介して、投票所Ａの受付端末１１に通知する。
【００２０】
投票所Ａの受付端末１１は、ホスト装置１５を介して、投票所Ｂの受付端末１１より、登録完了（トークン発行指示）通知を受けると、受付処理を完了し、選挙人ａの投票用選挙人情報をトークン発行端末１２に送出して、トークン発行端末１２を起動する。
トークン発行端末１２は受付端末１１より選挙人ａの投票用選挙人情報を受けると、選挙人ａの投票可能な選挙に対する投票用選挙人情報をトークン発行用記録媒体に書き込み、投票用のトークン１４として選挙人ａに発行する。
【００２１】
選挙人ａはトークン発行端末１２より受取った投票用のトークン１４を投票端末１３に呈示する。
投票端末１３は、トークン１４が挿入されると、トークン１４に書かれた投票用選挙人情報から、投票の可否、投票可能な選挙の種別、投票所の所在（本籍投票所／他選挙区投票所）等を判断し、ここでは他選挙区投票所であることを認識し、投票が可能であることを確認して、選挙人ａの本籍投票所Ｂより同本籍投票所Ｂがもつ投票ソフトウェア（候補者情報等をもつアプリケーションソフトウェア）を受信したい旨の要求をホスト装置１５に出す。
【００２２】
ホスト装置１５は投票所Ａの投票端末１３より、投票所Ｂの投票ソフトウェア（候補者情報等をもつアプリケーションソフトウェア）を受信したい旨の要求を受けると、投票所Ｂの投票端末１３に、当該投票所Ｂがもつ投票ソフトウェアの転送要求を出し、投票所Ｂの投票端末１３より受取った投票ソフトウェアを投票所Ａの投票端末１３に受け渡す。
投票所Ａの投票端末１３はホスト装置１５を介して投票所Ｂの投票端末１３より投票ソフトウェアを受取ると、その受取った投票ソフトウェアを起動して、投票所Ａを訪れた選挙人ａに、当該選挙人ａの本籍投票所Ｂと同様の投票内容（候補者リスト表示等）による投票を行なわせる。
【００２３】
図３乃至図６はそれぞれ本発明の一実施例の動作を説明するためのフローチャートであり、ここでは、投票所Ａに於ける投票操作を例にとって示している。
図３は投票所Ａの受付端末１１に於ける処理内容を示すフローチャートである。
図３に於いて、Ｓ１１は選挙人の情報を入力するステップであり、投票所Ａに訪れた選挙人の情報（例えば個人識別カード等により得た選挙情報）、及びホスト装置１５から送られてきた選挙人の情報（投票受付処理内容、選挙人の登録完了（トークン発行指示）通知等）を取り込む。
【００２４】
Ｓ１２は入力された選挙人の情報源を判断するステップであり、取り込んだデータがホスト装置１５からのものであるか、受付操作によるものかを判断する。
Ｓ１３は入力された選挙人の情報から、その選挙人の受付処理を行なう投票所を判断するステップであり、選挙人の情報に含まれる本籍投票所情報（投票所ＩＤ）から、受付処理を自投票所で行なうのか、他の投票所で行なうのかを判別し、他の投票所で受付を行なう場合は、その旨をホスト装置１５に通知する。
【００２５】
Ｓ１４，Ｓ１７はそれぞれ名簿をチェックするステップであり、選挙人の情報から選挙人名簿ファイルＦＡを検索し、選挙権があるか否か、未投票であるか否か等の投票権有無をチェックする。
Ｓ１５，Ｓ１８はそれぞれ名簿チェックの結果、選挙人の投票権有無を判断するステップであり、選挙人に投票権が有るか否か（選挙人に投票用のトークンを発行してよいか否か）を判断する。
Ｓ１６は投票用選挙人情報をトークン発行端末１２に送信するステップであり、投票所Ａで行なう選挙人の選挙について選挙権があることを確認したとき、選挙人名簿ファイルＦＡに当該選挙人の受付処理完了及びトークン処理完了を登録するとともに、当該選挙人の投票用選挙人情報を投票所Ａのトークン発行端末１２に送信し、トークン発行端末１２に上記選挙人の投票用トークン１４の発行を促す。
【００２６】
Ｓ１９は選挙人名簿ファイルＦＡより得た選挙人の情報を問い合わせのあった投票所の受付端末１１に送信するステップであり、ホスト装置１５を介して他投票所の受付端末１１より選挙人の情報を受け、その選挙人に投票権が有ると判断したとき（Ｓ１７，Ｓ１８）、選挙人名簿ファイルＦＡに当該選挙人の受付処理完了を登録するとともに、当該選挙人の情報（投票受付処理内容）をホスト装置１５を介し、問い合わせのあった投票所の受付端末１１に送信する。
【００２７】
Ｓ２０は選挙人が当該選挙の投票に不適格である際にエラー情報を送信するステップであり、名簿チェックの結果、選挙権が無い或いは既に投票済みであった場合等において、受付の失敗を示す情報をホスト装置１５へ返す。
Ｓ２１はホスト装置１５より受けた本籍投票所外の選挙人の情報（投票受付処理内容）から選挙人の投票権有無を判断するステップであり、自投票所を訪れた本籍投票所外の選挙人に対して投票権が有るか否か（選挙人に投票用のトークンを発行してよいか否か）を判断する。
【００２８】
Ｓ２２は他の投票所より受けた選挙人の情報（投票受付処理内容）に従う投票用選挙人情報を投票所Ａのトークン発行端末１２に送信するステップであり、本籍投票所外の選挙人に対し投票所Ａで行なう選挙について選挙権があることを確認したとき、選挙人名簿ファイルＦＡに当該選挙人のトークン処理完了を登録するとともに、当該選挙人の投票用選挙人情報を投票所Ａのトークン発行端末１２に送信し、トークン発行端末１２に上記選挙人の投票用トークン１４の発行を促す。
【００２９】
図４はホスト装置１５の処理内容を示すフローチャートである。
図４に於いて、Ｓ３１はホスト装置１５に送られてきたデータが受付用なのか投票用なのかを判断するステップであり、各投票所の投票端末からの要求が受付要求（受付端末１１からの受付処理要求）であるのか、投票要求（投票端末１３からの投票ソフトウェアの受信要求）であるかを判断する。
Ｓ３２は選挙人の情報を受信するステップであり、受付端末１１から送信された選挙人の情報を受信する。
【００３０】
Ｓ３３は受付先の投票所ＩＤを判断するステップであり、選挙人の情報に含まれる投票所ＩＤから、その選挙人が何処の投票所の選挙に選挙権があるか（受付処理を行なう、受付先の投票所）を判断する。
Ｓ３４は投票所ＩＤにより判断された投票所へ受付処理を行なうように指示するステップであり、選挙人の情報を受付先の投票所（選挙人の本籍投票所）へ送信して、選挙人の本籍投票所に選挙人の受付処理を行なわせる。
【００３１】
Ｓ３５は受付結果を受信するステップであり、選挙人の本籍投票所での受付処理の結果（投票受付処理内容）を受信する。
Ｓ３６は受付結果を選挙人が訪れた投票所Ａに送信するステップであり、本籍投票所での受付結果を選挙人が訪れた投票所Ａに送信する。
Ｓ３７はトークンデータを受信するステップであり、投票端末１３から送られてきた投票用トークン１４内の情報を受信する。
Ｓ３８は投票用トークン１４内の情報から投票所ＩＤを判断するステップであり、選挙人の本籍投票所に置かれた投票ソフトウェアを受信すべく、投票用トークン１４内の情報に含まれる投票所ＩＤから、選挙人の本籍投票所に置かれた投票ソフトウェアを保管している投票所の投票端末１３を検索する。
【００３２】
Ｓ３９は投票所ＩＤにより判断された投票所へ投票ソフトウェアを送信するように促すステップであり、本籍投票所より同投票所がもつ投票ソフトウェアを送信させる。
Ｓ４０は投票ソフトウェアを受信するステップであり、選挙人の本籍投票所の投票ソフトウェアを受信する。
Ｓ４１は投票ソフトウェアを送信するステップであり、本籍投票所の投票ソフトウェアを選挙人が訪れた投票所Ａの投票端末１３に送信する。
【００３３】
図５はトークン発行端末１２の処理手順を示すフローチャートである。
据えに於いて、Ｓ５１は受付端末１１から送られてきたデータを受信するステップであり、受付端末１１から、選挙人の選挙権及び投票権有無、及び選挙人の投票選挙区（本籍投票所を示す投票所ＩＤ）等が含まれる投票用選挙人情報を受信する。
Ｓ５２は受付処理を行なった選挙人に渡す投票用のトークン１４を作成するステップであり、受付端末１１より受信した投票用選挙人情報を所定のトークン用記録媒体に書き込む。
【００３４】
Ｓ５３は投票用のトークン１４を排出するステップであり、受付処理を行なった選挙人に対して当該選挙人に固有の投票用選挙人情報が記録された投票用のトークン１４を発行する。
図６は投票端末１３の処理内容を示すフローチャートである。
図６に於いて、Ｓ６１はトークン情報を入力するステップであり、呈示された（投票用トークン１４の受入スロットに挿入された）トークン１４に記録されたトークン情報（投票用選挙人情報）、又は、ホスト装置１５を介して他の投票端末１３から送信されたトークン情報（投票用選挙人情報）を読み取る。
Ｓ６２はトークン情報（投票用選挙人情報）の送信元を判断するステップであり、入力された投票用選挙人情報が自投票所のトークン発行端末１２より発行されたトークン情報であるか、ホスト装置１５を介して他投票所から送られてきたトークン情報であるかを判断する。
Ｓ６３は投票ソフトウェアを選挙区外の他の投票所に送信するステップであり、ホスト装置１５を介在して、自投票所（投票所Ａ）がもつ選挙情報ファイルＦＢ内の投票ソフトウェアを、他投票所から送られてきたトークン情報内の投票所ＩＤが示す投票所に送信する。
【００３５】
Ｓ６４はトークン情報から何処の投票所の投票ソフトウェアを起動させるかを判断するステップであり、呈示された（投票用トークン１４の受入スロットに挿入された）トークン１４のトークン情報に含まれる投票所ＩＤから自選挙区であるか、他選挙区であるかを判断し、他選挙区であるとき、ホスト装置１５を介して、投票所ＩＤが示す投票所に、投票ソフトウェアを要求する。
Ｓ６５は自投票所（投票所Ａ）の投票ソフトウェアを起動させるステップであり、投票所Ａで投票を行なう選挙人が自選挙区であるとき、投票所Ａの投票端末１３がもつ選挙情報ファイルＦＢ内の投票ソフトウェアを起動して自選挙区の選挙人に投票を行なわせる。
【００３６】
Ｓ６６は投票ソフトウェアを受信するステップであり、呈示されたトークン１４が他選挙区の投票所ＩＤであるとき、ホスト装置１５を介して要求した投票ソフトウェアを受取る。
Ｓ６７はホスト装置１５を介し受取った投票ソフトウェアを起動させるステップであり、投票所Ａに於いて、選挙人の本籍投票所がもつ投票ソフトウェアを起動させ、他選挙区の選挙人に、本籍投票所と同様の投票を行なわせる。
ここで、上記各図を参照して本発明の一実施例に於ける動作を説明する。
選挙人が投票所Ａに訪れると、先ず受付端末１１にて受付を行なう。
【００３７】
受付端末１１では、選挙人の情報を入力し（図３ステップＳ１１）、ホスト装置１５からの入力ではないと判断した後（図３ステップＳ１２（Ｎｏ））、選挙人の情報から投票所ＩＤを取り出し、当該選挙人の本籍投票所を判断する（図３ステップＳ１３）。
この際、選挙人の本籍投票所が投票所Ａであった場合は、投票所Ａで管理する選挙人名簿ファイルＦＡを参照して選挙人の名簿チェックを行ない（図３ステップＳ１４）、当該選挙人が投票権をもつことを確認した後（図３ステップＳ１５（Ｙｅｓ））、投票所Ａの投票用選挙人情報をトークン発行端末１２へ送信する（図３ステップＳ１６）。
【００３８】
又、投票所Ａの受付端末１１にて、選挙人の情報に含まれる投票所ＩＤから選挙人が選挙区外であると判断したとき（図３ステップＳ１３（Ｎｏ））、その選挙人の情報をホスト装置１５に送信して、選挙人の本籍投票所に受付を要求する。
ホスト装置１５は上記投票所Ａの受付端末１１より受付け要求を受けると（図４ステップＳ３１）、投票所Ａの受付端末１１より送信された選挙人の情報を受信し（図４ステップＳ３２）、その選挙人の情報に含まれる投票所ＩＤから、受付け要求先の投票所（ここでは投票所Ｂとする）を判断して（図４ステップＳ３４）、その投票所Ｂへ選挙人の情報を転送する（図４ステップＳ３４）。
【００３９】
投票所Ｂの受付端末１１では、ホスト装置１５より選挙人の情報を受信すると（図３ステップＳ１２（Ｙｅｓ））、投票所Ｂで管理する選挙人名簿ファイルＦＡを参照して選挙人の名簿チェックを行ない（図３ステップＳ１７）、当該選挙人が投票権をもつことを確認すると（図３ステップＳ１８（Ｙｅｓ））、その受付結果の情報を問合わせのあった選挙人の情報（投票受付処理内容）に付加してホスト装置１５に送信する（図３ステップＳ１９）。又、選挙人の名簿チェックで投票が不適格であると判断した際は、ホスト装置１５にエラー情報（受付の失敗を示す情報）を問合わせのあった選挙人の情報（投票受付処理内容）に付加して送信する（図３ステップＳ２０）。
【００４０】
ホスト装置１５は投票所Ｂの受付端末１１より受付結果の情報を付加した選挙人の情報（投票受付処理内容）受信すると（図４ステップＳ３５）、その情報を問い合わせのあった投票所Ａの受付端末１１へ転送する（図３ステップＳ３６）。
投票所Ａの受付端末１１は、ホスト装置１５を介して投票所Ｂの受付端末１１で行なった受付結果の情報を付加した選挙人の情報を受信すると、その情報内容から選挙人の投票権有無を判断し（図３ステップＳ２１）、本籍投票所外（投票所Ｂ）の選挙人に対し投票所Ａで行なう選挙について選挙権があることを確認したとき、その選挙人の投票用選挙人情報を投票所Ａのトークン発行端末１２に送信し、トークン発行端末１２に上記選挙人の投票用トークン１４の発行を促す（図３ステップＳ２２）。
【００４１】
トークン発行端末１２は、受付端末１１より投票用選挙人情報を受信すると、その投票用選挙人情報をトークン記録媒体に記録して（図５ステップＳ５１，Ｓ５２）、この記録媒体を投票用トークン１４として選挙人に発行（排出）する（図５ステップＳ５３）。
選挙人はトークン発行端末１２より排出されたトークンを受取り、投票端末１３に呈示する。即ち、トークン発行端末１２より受取った投票用トークン１４を投票端末１３の受入スロットに挿入する。
【００４２】
投票端末１３は呈示された（挿入された）投票用トークン１４に記録されたトークン情報（投票用選挙人情報）を読み（図６ステップＳ６１）、ホスト装置１５からのデータでないことを判断した後（図６ステップＳ６２（Ｎｏ））、トークン情報（投票用選挙人情報）に含まれる投票所ＩＤから、選挙人の本籍投票所を判断する（図６ステップＳ６４）。
ここで投票所ＩＤにより示される選挙人の本籍投票所が、自投票所（投票所Ａ）であるとき、投票所Ａに置かれた選挙情報ファイルＦＢ内の投票ソフトウェアを起動し、自選挙区内の選挙人に対して自選挙区の投票を行なわせる（図６ステップＳ６５）。
【００４３】
又、選挙人の本籍投票所が自投票所（投票所Ａ）でなく、他の投票所（投票所Ｂ）であったときは（図６ステップＳ６４（Ｎｏ））、ホスト装置１５を介して、投票所ＩＤが示す投票所Ｂに、同投票所Ｂに置かれた投票ソフトウェアの転送を要求する。
ホスト装置１５は、投票ソフトウェアの転送要求を受けると（図４ステップＳ３１（投票））、その転送要求に付随するトークン情報（投票用選挙人情報）を受信し（図４ステップＳ３７）、そのトークン情報に含まれる投票所ＩＤから、投票ソフトウェアの取得先となる投票所（ここでは投票所Ｂ）を判断して（図４ステップＳ３８）、その投票所Ｂへトークン情報を転送する（図４ステップＳ３９）。
【００４４】
この際、投票所Ｂの投票端末１３は、ホスト装置１５を介して投票所Ａの投票端末１３よりトークン情報を受けると（図６ステップＳ６１，Ｓ６２（Ｙｅｓ））、自投票所（投票所Ｂ）で管理している選挙情報ファイルＦＢ内の投票ソフトウェアを読出してホスト装置１５を介し投票所Ａに送信する（図６ステップＳ６３）。
投票所Ａの投票端末１３は、ホスト装置１５を介して投票所Ｂの投票端末１３より投票ソフトウェアを受信すると（図６ステップＳ６６）、そのホスト装置１５を介して受取った投票ソフトウェアを起動させ、投票所Ａに於いて、選挙人の本籍投票所（投票所Ｂ）が管理する投票ソフトウェアを起動させて、他選挙区の選挙人に、本籍投票所（投票所Ｂ）と同様の投票を行なわせる（図６ステップＳ６７）。
【００４５】
このようにして、選挙人は投票所を特定せずに、出先等の選挙区外の任意の投票所（本籍投票所以外の任意の投票所）にて自選挙区の投票を行なうことができる。
上記した実施例では、選挙人名簿ファイル、及び投票ソフトウェア（候補者情報等をもつアプリケーションソフトウェア）を複数の投票所に分散して設ける構成を例に示したが、各選挙区の投票用ソフトウェアをホスト装置で集中管理し、各投票所端末からの要求に応じて、その都度、ホスト装置より提供する構成とする、又は、複数の投票所に、当該投票所を本籍とする選挙人の選挙人名簿をもつとともに、全国の選挙人の名簿を一括してホスト装置１５が管理し、各投票所の受付端末１１は、他投票所を本籍投票所とする選挙人に対して、ホスト装置１５の名簿を検索するように構成することにより、ホスト装置１５と受付端末１１との間のデータ授受の回数を削減でき、応答性を向上できる。
【００４６】
又、投票ソフトウェアに関しても、各投票所の投票ソフトウェアをすべてホスト装置１５が管理し、各投票所の投票端末１３から投票所ＩＤが送られてきたとき、そのＩＤに対応する投票ソフトウェアをホスト装置１５が送信するように構成することにより、ホスト装置１５と投票端末１３との間のデータ授受の回数を削減でき、応答性を向上できる。
又、僻地、災害地域等、有線による回線接続が困難な投票所に於いては、有線によるオンライン接続に代えて、無線通信により、投票所端末とホスト装置との間を接続する構成としてもよい。
【００４７】
【発明の効果】
以上詳記したように本発明によれば、選挙にかかる経済的な負担を大幅に軽減でき、信頼性の高い選挙を円滑に実施できるとともに、全ての選挙人が自選挙区外の任意の投票所に於いて選挙投票を行なうことができ、選挙人の負担を軽減して投票率を向上できる電子投票システムが提供できる。
【図面の簡単な説明】
【図１】本発明の一実施例に於ける電子投票システムの構成を示すブロック図。
【図２】上記実施例に於ける投票所内の各端末の配置と選挙人の流れを示す図。
【図３】上記実施例の動作を説明するための、投票所Ａの受付端末１１に於ける処理内容を示すフローチャート。
【図４】上記実施例の動作を説明するための、ホスト装置１５の処理内容を示すフローチャート。
【図５】上記実施例の動作を説明するための、トークン発行端末１２の処理手順を示すフローチャート。
【図６】上記実施例の動作を説明するための、投票端末１３の処理内容を示すフローチャート。
【符号の説明】
１１…受付端末、１２…トークン発行端末、１３…投票端末、１４…投票用トークン、１５…ホスト装置（中央のホストコンピュータ）、ＦＡ…選挙人名簿ファイル、ＦＢ…選挙情報ファイル、Ｔ…集線部、Ｌ…及び回線。
【図１】
2004005597.tif 000003
【図２】
2004005597.tif 000004
【図３】
2004005597.tif 000005
【図４】
2004005597.tif 000006
【図５】
2004005597.tif 000007
【図６】
2004005597.tif 000008